(57)【要約】磁気ヘッド（４）及び磁気ヘッド保持部材（４１）が締結部材（４０）に片持ち支持される。磁気ヘッド（４）は、支持材弾性部（１０）を有する支持材（６）と、自由端に取り付けられたヘッド本体（５）とからなる。磁気ヘッド保持部材（４１）は、締結部材（４０）の近傍に弾性バネ部（４４）を有し、支持材（６）を挟んで情報記録媒体（１）と対峙する。磁気ヘッド保持部材（４１）は、情報記録媒体側へ突出した姿勢保持部（４８）を備える。ヘッド本体（５）が情報記録媒体（１）に近接又は接触し記録又は再生を行う第１の位置に磁気ヘッド（４）があるとき、姿勢保持部（４８）がカートリッジホルダ（４９）と当接する。これにより、磁気ヘッド装置及び光磁気記録再生装置をより薄型にできる。また、部品点数の削減により光磁気記録再生装置をより低価格にできる。
2004068486.tif 000002
【特許請求の範囲】
【請求項１】
情報記録媒体が収納されたカートリッジを保持するカートリッジホルダと、
一端を固定端とし、他端を自由端として片持ち支持され、前記固定端が前記情報記録媒体の表面と略平行な方向に移動する締結部材に取り付けられ、前記固定端と前記自由端との間に支持材弾性部を有する支持材と、前記支持材の前記自由端に取り付けられ、前記情報記録媒体に磁界を印加するヘッド本体とを有する磁気ヘッドと、
前記情報記録媒体の表面と略平行に前記締結部材から前記ヘッド本体側へ伸びるように前記締結部材によって片持ち支持され、前記支持材を挟んで前記情報記録媒体と対峙し、前記締結部材近傍に弾性変形可能な弾性バネ部を有する磁気ヘッド保持部材と
を有する磁気ヘッド装置であって、
前記磁気ヘッドは、前記ヘッド本体が前記情報記録媒体に近接又は接触し記録又は再生を行う第１の位置と、前記ヘッド本体が前記情報記録媒体から遠ざかる第２の位置と、前記磁気ヘッドと前記情報記録媒体とが相互に略平行な状態を保ちながら傾斜し、前記カートリッジホルダに対して前記カートリッジの着脱を可能にする第３の位置とをとり、
前記磁気ヘッド保持部材は、前記磁気ヘッドの長手方向において前記ヘッド本体よりも前記締結部材側に、前記情報記録媒体側へ突出した姿勢保持部を具備し、
前記磁気ヘッドが前記第１の位置にあるとき、前記姿勢保持部が前記カートリッジホルダと当接することを特徴とする磁気ヘッド装置。
【請求項２】
前記姿勢保持部が前記磁気ヘッド保持部材と一体に形成されている請求項１に記載の磁気ヘッド装置。
【請求項３】
前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、凹部又は穴が形成されている請求項１に記載の磁気ヘッド装置。
【請求項４】
前記第２の位置において、前記姿勢保持部が前記カートリッジホルダから離間する請求項１に記載の磁気ヘッド装置。
【請求項５】
情報記録媒体が収納されたカートリッジを保持するカートリッジホルダと、
一端を固定端とし、他端を自由端として片持ち支持され、前記固定端が前記情報記録媒体の表面と略平行な方向に移動する締結部材に取り付けられ、前記固定端と前記自由端との間に支持材弾性部を有する支持材と、前記支持材の前記自由端に取り付けられ、前記情報記録媒体に磁界を印加するヘッド本体とを有する磁気ヘッドと、
前記情報記録媒体の表面と略平行に前記締結部材から前記ヘッド本体側へ伸びるように前記締結部材によって片持ち支持され、前記支持材を挟んで前記情報記録媒体と対峙し、前記締結部材近傍に弾性変形可能な弾性バネ部を有する磁気ヘッド保持部材と
を有する磁気ヘッド装置であって、
前記磁気ヘッドは、前記ヘッド本体が前記情報記録媒体に近接又は接触し記録又は再生を行う第１の位置と、前記ヘッド本体が前記情報記録媒体から遠ざかる第２の位置と、前記磁気ヘッドと前記情報記録媒体とが相互に略平行な状態を保ちながら傾斜し、前記カートリッジホルダに対して前記カートリッジの着脱を可能にする第３の位置とをとり、
前記磁気ヘッド保持部材は、前記磁気ヘッドの長手方向において前記ヘッド本体よりも前記締結部材側に、前記情報記録媒体側へ突出した姿勢保持部を具備し、
前記締結部材の移動により前記姿勢保持部が移動する前記カートリッジホルダの領域に穴が形成されており、
前記カートリッジが前記カートリッジホルダに保持され、且つ前記磁気ヘッドが前記第１の位置にあるとき、前記姿勢保持部は前記穴を通過し、前記カートリッジと当接することを特徴とする磁気ヘッド装置。
【請求項６】
前記姿勢保持部が前記磁気ヘッド保持部材と一体に形成されている請求項５に記載の磁気ヘッド装置。
【請求項７】
前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、前記穴が延設されている請求項５に記載の磁気ヘッド装置。
【請求項８】
前記カートリッジは一方の面に受け部を具備し、前記カートリッジが前記カートリッジホルダに保持され、且つ前記磁気ヘッドが前記第１の位置にあるとき、前記姿勢保持部が前記穴を通過し、前記受け部と当接する請求項５に記載の磁気ヘッド装置。
【請求項９】
前記第２の位置において、前記姿勢保持部が前記カートリッジから離間する請求項５に記載の磁気ヘッド装置。
【発明の詳細な説明】
【技術分野】  本発明は磁気ヘッド装置に関するものであり、詳しくは情報記録再生装置の薄型化を可能とする磁気ヘッド装置に関するものである。
【背景技術】  光磁気記録再生装置は、ディスク回転駆動機構によって回転操作される情報記録媒体である光磁気ディスクの一方の面側に、情報記録媒体の光磁気記録層に照射される光ビームを出射する光学ヘッドを備え、光磁気ディスクの他方の面側に、光磁気記録層に外部磁界を印加する磁気ヘッドを前記光学ヘッドと対向して備えている。
光磁気記録再生装置は、回転操作される光磁気ディスクの光磁気記録層に、磁気ヘッドから記録すべき情報信号に応じて磁界の向きが変調された磁界を印加するとともに、光学ヘッドから出射される光ビームを集光して照射する。
この光ビーム照射によって、キュリー温度以上に加熱されて保磁力を消失した光磁気記録層の部分が、磁気ヘッドから印加される磁界の方向に応じて磁化された後、光磁気ディスクの回転による光ビームの相対移動によってキュリー温度以下に低下し、この磁化の方向が固定されることによって情報信号の記録が行われる。
光磁気ディスクは回転操作されるので面振れを生じ易い。このため磁気ヘッドでは光磁気ディスクの面振れ方向に揺動可能な片持ち支持された支持材の自由端にヘッド本体が取り付けられている。このヘッド本体は、磁界印加部分が装着され、且つ、光磁気ディスクと接触摺動または光磁気ディスクと微少な距離を保って浮上するスライダから構成される。
磁気ヘッドは、スライダが光磁気ディスクに対して接触摺動又は浮上するなどして互いに近接し記録状態となる第１の位置と、磁気ヘッド装置の磁気ヘッド昇降装置により支持材の自由端とヘッド本体とが光磁気ディスクから離間し、再生状態となる第２の位置と、磁気ヘッドと光磁気ディスクとが相互に略平行な状態を保ちながら傾斜し、光磁気ディスクの着脱を可能にする第３の位置とを採る。
従来の磁気ヘッド装置は、例えば特開２０００−８５１１１６号公報に記載されている。
以下、図１４〜図１９を用いて従来の磁気ヘッド装置について説明する。図１４は従来の磁気ヘッド装置の一例の平面図である。図示したように、光磁気ディスク１の半径方向をＸ軸、接線方向をＹ軸、法線方向をＺ軸とするＸＹＺ３次元直交座標系を設定する。図１５は図１４に示した磁気ヘッド装置の第１の位置（記録位置）でのＸ−Ｘ線での矢印方向から見た側面断面図である。図１６は図１４に示した磁気ヘッド装置の第２の位置（再生位置）でのＸ−Ｘ線での矢印方向から見た側面断面図である。図１７は図１４に示した磁気ヘッド装置の第３の位置（光磁気ディスクの着脱を可能にする位置）でのＸ−Ｘ線での矢印方向から見た側面断面図である。図１８は図１４に示す磁気ヘッドのヘッド本体の側面断面図である。図１９は一般的なカートリッジの一例の斜視図である。
従来の磁気ヘッド装置は、ヘッド本体５と、その摺動部１７を光磁気ディスク１の面に加圧する薄い支持材６と、この支持材６の一端を取り付けた固定材７とからなる。片持ち支持された支持材６の他端（自由端）には、接着、融着などの方法によってヘッド本体５が取り付けられている。
ヘッド本体５は、図１８に示すように、巻回したコイル１４を、フェライト等の軟磁性体からなるＥ型の磁気コア１３の中心磁極に装着して形成された磁気ヘッド素子１５と、直接光磁気ディスク１に接触摺動する摺動部１７を具備し、摺動性の良い樹脂、例えばポリフェニレンサルファイド、液晶ポリマーなどでできた摺動体（スライダ）１６とを備える。磁気ヘッド素子１５は、摺動体１６に接着固定又は樹脂一体成形などで一体に取り付けられる。
支持材６は、例えばＳＵＳ３０４、ＢｅＣｕなどの薄板で形成される。
支持材６は、その一端が固定材７に固定され、光磁気ディスク１の面振れに追従し、且つ光磁気ディスク１への記録を行う位置である第１の位置で、ヘッド本体５に光磁気ディスク１の方向への荷重を与える為の第１の弾性部である第１のバネ系１０と、この第１のバネ系１０に対してカートリッジ２と干渉しないような所定角度で傾斜して第１のバネ系１０より延設され、幅方向両側に絞りで形成された絞りリブ１１を有することで剛体をなす中継部９と、中継部９より延長され、光磁気ディスク１の表面形状に追従するための第２の弾性部である第２のバネ系８とで構成される。
フレキシブルプリント基板３は、その一端がヘッド本体５に接着され、他端が支持材６の固定材７付近に接着されている。フレキシブルプリント基板３の一端にはコイル１４の引き出し線の両端が半田付けされ、他端は図示しない磁気ヘッドの駆動回路へ接続される。
固定材７は、例えば鉄、ステンレスなどの金属板からなる。
支持材６の一端が固定された固定材７は、磁気ヘッド４と図示しない光学ヘッドとを締結する締結部材１９にシャフト１８を介し回動自在に取り付けられ、バネ１２によって光磁気ディスク１の方向へ付勢されている。そして締結部材１９の受け部２０に固定材７が当接することで、固定材７及び固定材７に固定された磁気ヘッド４がＺ軸方向に位置決めされる。
固定材７からは、Ｙ軸方向に沿ってヘッド本体５側へアーム部２３が延設されている。アーム部２３は、その先端に第１の磁気ヘッド押さえ２２を備え、これより固定材７側の位置に第２の磁気ヘッド押さえ２１を備える。第１の磁気ヘッド押さえ２２は、ヘッド本体５（より詳しくは第２のバネ系８）の上方に位置するように、Ｘ軸方向に沿って形成されている。第２の磁気ヘッド押さえ２１は、第１のバネ系１０の上方に位置するように、Ｘ軸方向に沿って形成されている。
光磁気ディスク１は図１９に示すカートリッジ２に収納されている。カートリッジ２は、ＡＢＳやポリカーボネイトなどの樹脂からなるカートリッジ本体２４と、鉄、ステンレスなどの金属からなり、カートリッジ本体２４に設けられた開口（図示せず）を開閉可能なようにカートリッジ本体２４に取り付けられたシャッター２５とからなる。
次に、磁気ヘッド４を第１の位置から第２の位置へ移動する磁気ヘッド昇降装置について説明する。
リフトメカ２６は、光磁気ディスク１を収納するカートリッジ２を保持するカートリッジホルダ２３と磁気ヘッド４との間に配され、カートリッジホルダ２３に設けられた昇降回動軸２７の周りに回動自在に取り付けられている。カートリッジホルダ２３にはスライド部材２８が取り付けられ、スライド部材２８は、カートリッジホルダ２３に取り付けられたモータ、ギヤなどから構成される昇降駆動部２９によって、図１４の矢印ａまたは矢印ｂの方向（図１４〜図１９のＹ軸方向）にスライド可能となっている。スライド部材２８の一部に、Ｚ軸方向の高さが変化したＹ軸方向に沿った傾斜面２８ａが形成されている。リフトメカ２６には、図示しないバネなどの弾性部材により、その下面がスライド部材２８の傾斜面２８ａを押圧するように付勢力が与えられている。かくして、スライド部材２８の傾斜面２８ａとリフトメカ２６とが当接する部分にはカム機構が形成される。リフトメカ２６およびスライド部材２８は、例えばステンレスや鉄等の薄い金属板や樹脂からなる。磁気ヘッド４を第２の位置に移動させたときに磁気ヘッド４と当接するリフトメカ２６の部位には、曲面形状を有する昇降部３０が配されている。
磁気ヘッド４の第１の位置（記録位置）、即ち図１５に示す如く摺動部１７が光磁気ディスク１と接触摺動する状態では、ヘッド本体５に光磁気ディスク１へ接触する方向に荷重を与える第１のバネ系１０、及び光磁気ディスク１の面振れや表面形状の変化に応じて変位する第２のバネ系８によって、摺動部１７は光磁気ディスク１の面振れや表面形状の変化に追従し常に接触摺動する。
この時リフトメカ２６の昇降部３０は、磁気ヘッド４と接触しないように、光磁気ディスク１側へ退避している。
磁気ヘッド４の第１の位置（記録位置）から第２の位置（再生位置、図１６参照）への移動は以下のように行われる。昇降駆動部２９によってスライド部材２８が図１４に示す矢印ａの方向にスライド移動する。カム機構を構成する傾斜面２８ａがリフトメカ２６の下面に当接してリフトメカ２６を持ち上げて、リフトメカ２６を昇降回動軸２７を中心として回動させ、昇降部３０は光磁気ディスク１から離間する方向へ移動する。そして、昇降部３０は磁気ヘッド４の中継部９の下面（光磁気ディスク１側の面）と当接し、支持材６を光磁気ディスク１から離間する方向に移動させる。この移動過程で、第１のバネ系１０が第２の磁気ヘッド押さえ２１に当接する。この当接を境として、ヘッド本体５の光磁気ディスク１から離間する際の回動中心は、第１のバネ系１０の固定材７側の端部（Ｐ１）から、第１のバネ系１０の第２の磁気ヘッド押さえ２１との当接部（Ｐ２）へ移動する。さらに昇降部３０は光磁気ディスク１から離間する方向へ移動し、ヘッド本体５は光磁気ディスク１から更に離間して、ヘッド本体５（又は第２のバネ系８）が第１の磁気ヘッド押さえ２２と当接する。かくして、ヘッド本体５はカートリッジ２に対して隙間Ｈ２を有する位置、すなわち第２の位置へ上昇する。このとき、ヘッド本体５がアーム部２３よりも上方に突出しないことにより、磁気ヘッド装置の薄型化を実現していた。
次に、磁気ヘッド４の第２の位置（再生位置）から第３の位置（光磁気ディスクの着脱を可能にする位置、図１７参照）への移動は以下のように行われる。磁気ヘッド４がリフトメカ２６によって第２の位置に持ち上げられた状態のままでカートリッジホルダ３１が回動中心Ｃ１を中心に傾斜すると、カートリッジホルダ３１に取り付けられたリフトメカ２６の昇降部３０がアーム部２３の下面（光磁気ディスク１側の面）と当接する。カートリッジホルダ３１が更に傾斜すると、昇降部３０は、ばね１２の付勢力に打ち勝って、磁気ヘッド４とアーム部２３とこれらが一体化された固定材７とをシャフト１８を中心として締結部材１９に対して回動させる。カートリッジホルダ３１が第３の位置にまで回動したとき、昇降部３０は、磁気ヘッド４とアーム部２３とこれらが一体化された固定材７とを光磁気ディスク１に対して略平行に保持する。かくして、ヘッド本体５がカートリッジ２と衝突することなく、カートリッジホルダ３１に対してカートリッジ２の着脱を可能にしていた。
近年小型のポータブル機器の普及に伴い、装置の薄型化が進んでおり、磁気ヘッド４の薄型化やカートリッジ２の上面から固定材７までの高さＨ１の薄型化が進んでいる。
しかしながら、上記従来の磁気ヘッド装置では、磁気ヘッド４が第３の位置にあるときに、受け部２０がカートリッジ２及び／又はカートリッジホルダ３１と干渉するのを防ぐため、シャフト１８から受け部２０までの距離を短くする必要がある。この結果、固定材７がバネ１２の付勢力を受けて受け部２０に押圧されている状態のときに、片持ち支持されたアーム部２３の自由端のＺ軸方向における位置の誤差が大きくなってしまう。
磁気ヘッド４が第２の位置にあるとき、ヘッド本体５は、アーム部２３の第１の磁気ヘッド押さえ２２と当接した状態で、カートリッジ２に対して隙間Ｈ２だけ離間しなければならない。アーム部２３の自由端のＺ軸方向位置の誤差が大きい場合には、この誤差を加味してもなおこの隙間Ｈ２を確保できるように、受け部２０やシャフト１８をカートリッジホルダ３１から離間させる必要が生じる。その結果、高さＨ１が増大し、磁気ヘッド装置及び光磁気記録再生装置の薄型化が実現できないという問題があった。
また、アーム部２３の自由端のＺ軸方向位置の誤差が大きい場合には、磁気ヘッド４が第１の位置及び第２の位置にあるとき、その誤差を加味してもなおアーム部２３の自由端がその上に設けられる光磁気記録再生装置の外装筐体（図示せず）と干渉しないように、アーム部２３の自由端と外装筐体との間に隙間を確保しておく必要がある。その結果、光磁気記録再生装置の薄型化が実現できないという問題があった。
また、固定材７を回動可能に支持し、且つ光磁気ディスク１側に付勢するために、シャフト１８とバネ１２とが必要となり、部品点数や組立工数が増大し、磁気ヘッド装置及び光磁気記録再生装置を低価格にできないという問題があった。
【発明の開示】
本発明は上記従来の問題点を解決するものであり、光磁気記録再生装置の薄型化と低価格化を可能とする磁気ヘッド装置を提供することを目的とする。
本発明の磁気ヘッド装置は、（ａ）情報記録媒体が収納されたカートリッジを保持するカートリッジホルダと、（ｂ）一端を固定端とし、他端を自由端として片持ち支持され、前記固定端が前記情報記録媒体の表面と略平行な方向に移動する締結部材に取り付けられ、前記固定端と前記自由端との間に支持材弾性部を有する支持材と、前記支持材の前記自由端に取り付けられ、前記情報記録媒体に磁界を印加するヘッド本体とを有する磁気ヘッドと、（ｃ）前記情報記録媒体の表面と略平行に前記締結部材から前記ヘッド本体側へ伸びるように前記締結部材によって片持ち支持され、前記支持材を挟んで前記情報記録媒体と対峙し、前記締結部材近傍に弾性変形可能な弾性バネ部を有する磁気ヘッド保持部材とを有する。前記磁気ヘッドは、前記ヘッド本体が前記情報記録媒体に近接又は接触し記録又は再生を行う第１の位置と、前記ヘッド本体が前記情報記録媒体から遠ざかる第２の位置と、前記磁気ヘッドと前記情報記録媒体とが相互に略平行な状態を保ちながら傾斜し、前記カートリッジホルダに対して前記カートリッジの着脱を可能にする第３の位置とをとる。前記磁気ヘッド保持部材は、前記磁気ヘッドの長手方向において前記ヘッド本体よりも前記締結部材側に、前記情報記録媒体側へ突出した姿勢保持部を具備する。
本発明の第１の磁気ヘッド装置においては、前記磁気ヘッドが前記第１の位置にあるとき、前記姿勢保持部が前記カートリッジホルダと当接する。
また、本発明の第２の磁気ヘッド装置においては、前記締結部材の移動により前記姿勢保持部が移動する前記カートリッジホルダの領域に穴が形成されている。そして、前記カートリッジが前記カートリッジホルダに保持され、且つ前記磁気ヘッドが前記第１の位置にあるとき、前記姿勢保持部は前記穴を通過し、前記カートリッジと当接する。
【図面の簡単な説明】  図１は、本発明の実施の形態１における磁気ヘッド装置の平面図である。
図２は、本発明の実施の形態１における磁気ヘッド装置において、磁気ヘッドが第１の位置にあるときの図１のＸ−Ｘ線での矢印方向から見た側面断面図である。
図３は、本発明の実施の形態１における磁気ヘッド装置において、磁気ヘッドが第２の位置にあるときの図１のＸ−Ｘ線での矢印方向から見た側面断面図である。
図４は、本発明の実施の形態１における磁気ヘッド装置において、磁気ヘッドが第３の位置にあるときの図１のＸ−Ｘ線での矢印方向から見た側面断面図である。
図５は、本発明の実施の形態２における磁気ヘッド装置の要部平面図である。
図６は、本発明の実施の形態２における磁気ヘッド装置において、磁気ヘッドが第１の位置にあるときの図５のＸ−Ｘ線での矢印方向から見た要部側面断面図である。
図７は、本発明の実施の形態３における磁気ヘッド装置の要部平面図である。
図８は、本発明の実施の形態３における磁気ヘッド装置において、磁気ヘッドが第１の位置にあるときの図７のＸ−Ｘ線での矢印方向から見た要部側面断面図である。
図９は、本発明の実施の形態４における磁気ヘッド装置の要部平面図である。
図１０は、本発明の実施の形態４における磁気ヘッド装置において、磁気ヘッドが第１の位置にあるときの図９のＸ−Ｘ線での矢印方向から見た要部側面断面図である。
図１１は、本発明の実施の形態５における磁気ヘッド装置の要部平面図である。
図１２は、本発明の実施の形態５における磁気ヘッド装置において、磁気ヘッドが第１の位置にあるときの図１１のＸ−Ｘ線での矢印方向から見た要部側面断面図である。
図１３は、本発明の実施の形態５における磁気ヘッド装置に好ましく使用されるカートリッジの斜視図である。
図１４は、従来の磁気ヘッド装置の一例の平面図である。
図１５は、従来の磁気ヘッド装置において、磁気ヘッドが第１の位置（記録位置）にあるときの図１４のＸ−Ｘ線での矢印方向から見た側面断面図である。
図１６は、従来の磁気ヘッド装置において、磁気ヘッドが第２の位置（再生位置）にあるときの図１４のＸ−Ｘ線での矢印方向から見た側面断面図である。
図１７は、従来の磁気ヘッド装置において、磁気ヘッドが第３の位置（光磁気ディスクの着脱を可能にする位置）にあるときの図１４のＸ−Ｘ線での矢印方向から見た側面断面図である。
図１８は、従来の磁気ヘッド装置の磁気ヘッドのヘッド本体の側面断面図である。
図１９は、一般的なカートリッジの一例の斜視図である。
【発明を実施するための最良の形態】  上記の本発明の第１及び第２の磁気ヘッド装置によれば、磁気ヘッド及び磁気ヘッド保持部材が取り付けられる締結部材の部分とカートリッジとの隙間を小さくすることができるので、光磁気記録再生装置をより薄型にできる。また、締結部材に片持ち支持される磁気ヘッド保持部材が弾性バネ部を有するので、部品点数と組立工数を削減でき、光磁気記録再生装置をより低価格にできる。
上記の本発明の第１及び第２の磁気ヘッド装置において、前記姿勢保持部が前記磁気ヘッド保持部材と一体に形成されていることが好ましい。これにより、姿勢保持部と磁気ヘッド保持部材との間の強度を高くすることができ、また、部品点数を削減することができる。
上記の本発明の第１の磁気ヘッド装置において、前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、凹部又は穴が形成されていることが好ましい。これにより、支持材の撓み量のばらつき等の部品誤差の許容範囲が拡大するので、生産での歩留まりがより向上する。よって、磁気ヘッド装置を低価格にできる。
上記の本発明の第１の磁気ヘッド装置において、前記第２の位置において、前記姿勢保持部が前記カートリッジホルダから離間することが好ましい。これにより、姿勢保持部又はカートリッジホルダの摩耗が減り、機器の信頼性が向上する。
また、上記の本発明の第２の磁気ヘッド装置において、前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、前記穴が延設されていることが好ましい。これにより、支持材の撓み量のばらつき等の部品誤差の許容範囲が拡大するので、生産での歩留まりがより向上する。よって、磁気ヘッド装置を低価格にできる。この効果は、撓んだ支持材弾性部のうち情報記録媒体に最も接近する部分と姿勢保持部とが、磁気ヘッドの長手方向においてほぼ同一位置にある場合であっても得られるので、磁気ヘッド装置の設計の自由度が増す。
上記の本発明の第２の磁気ヘッド装置において、前記カートリッジは一方の面に受け部を具備し、前記カートリッジが前記カートリッジホルダに保持され、且つ前記磁気ヘッドが前記第１の位置にあるとき、前記姿勢保持部が前記穴を通過し、前記受け部と当接することが好ましい。これにより、受け部の材料を適切に選択することにより、ヘッド本体を情報記録媒体の半径方向に移動させたとき、姿勢保持部が受け部上を摺動することによる摩耗粉や異音の発生を防止でき、また、移動させるための駆動力を低減できる。
上記の本発明の第２の磁気ヘッド装置において、前記第２の位置において、前記姿勢保持部が前記カートリッジから離間することが好ましい。これにより、姿勢保持部又はカートリッジの摩耗が減り、機器の信頼性が向上する。
以下、本発明の実施の形態について、図面を用いて説明する。
（実施の形態１）
図１は本発明の実施の形態１における磁気ヘッド装置の平面図である。図示したように、光磁気ディスク１の半径方向をＸ軸、接線方向をＹ軸、法線方向をＺ軸とするＸＹＺ３次元直交座標系を設定する。以下の説明の便宜のために、Ｚ軸方向を高さ方向とし、光磁気ディスク１から遠い側を上側、近い側を下側とする。但し、ここでいう「高さ」、「上」、「下」は磁気ヘッド装置の実際の使用状態での向きとは無関係である。図２は図１の磁気ヘッド装置の第１の位置（記録位置）でのＸ−Ｘ線での矢印方向から見た側面断面図であり、図３は図１の磁気ヘッド装置の第２の位置（再生位置）でのＸ−Ｘ線での矢印方向から見た側面断面図であり、図４は図１の磁気ヘッド装置の第３の位置（光磁気ディスクの着脱を可能にする位置）でのＸ−Ｘ線での矢印方向から見た側面断面図である。
なお、図１４〜図１９に示した従来例と同じ機能を有する構成部品には同じ符号を付記しその詳細な説明は省略する。
図１〜図４において、６は支持材であり、例えばＳＵＳ３０４やＢｅＣｕなどの薄いバネ材でできている。本実施の形態において例示した支持材６は、その一端が締結部材４０に固定され、光磁気ディスク１の面振れに追従し、且つ第１の位置でヘッド本体５に光磁気ディスク１の方向への荷重を与える為の第１の弾性変形部（支持材弾性部）である第１のバネ系１０と、第１のバネ系１０に対してカートリッジ２と干渉しないような所定角度で傾斜して第１のバネ系１０より延設され、かつ、幅方向両縁を略直角に折り曲げることで剛体をなす中継部９と、中継部９に対して所定の角度をなして中継部９から延設され、光磁気ディスク１の面振れ、表面形状に追従するための第２の弾性変形部である第２のバネ系８とを有する。
締結部材４０は、例えば鉄、ステンレスなどの金属板からなる。締結部材４０は、光磁気ディスク１を挟んで対峙して配される磁気ヘッド４と光学ヘッド（図示せず）とを締結する。締結部材４０の磁気ヘッド４側の端には、光磁気ディスク１と略平行にヘッド本体５側に延びた磁気ヘッド固定部５０を具備する。支持材６及び磁気ヘッド保持部材４１は、それぞれの一端が磁気ヘッド固定部５０に固定ネジ４２で固定されて片持ち支持される。締結部材４０は、図示しない駆動装置によりＸ軸方向に移動され、ヘッド本体５及び光学ヘッド（図示せず）を光磁気ディスク１の情報トラックの接線と直交する方向に移動させる。
ヘッド本体５は、例えば図１８に示すように、巻回したコイル１４を、フェライト等の軟磁性体からなるＥ型の磁気コア１３の中心磁極に装着して形成された磁気ヘッド素子１５を、Ｅ型の磁気コア１３の解放端を光磁気ディスク１と対向させて、摺動性の良い樹脂、例えばポリフェニレンサルファイド、液晶ポリマーなどでできた摺動体（スライダ）１６に一体に取り付けて形成される。
１７は摺動部であり、摺動体１６の光磁気ディスク１と対向する面に一体に形成されている。摺動部１７は、光磁気ディスク１に垂直な方向の断面形状を円弧状とすることで、光磁気ディスク１と常に点接触してなめらかに接触摺動を行う。
３はヘッド本体５に変調信号を伝送するための配線が施されたフレキシブルプリント基板であり、支持材６に例えば両面テープ（図示せず）で貼り付けられている。フレキシブルプリント基板３の一端にはコイル１４の引き出し線の両端が半田付けされ、他端は図示しない磁気ヘッドの駆動回路へ接続される。
ヘッド本体５は、片持ち支持構造の支持材６の揺動端（自由端）側に、融着または接着によって固定され、又は樹脂一体成形によって一体に形成される。また、支持材６の締結部材４０側の端部（固定端）は磁気ヘッド保持部材４１にレーザースポット溶接や電気スポット溶接などで固定された上で、締結部材４０に固定ネジ４２で固定される。
磁気ヘッド保持部材４１は、板厚が０．０５ｍｍから０．２ｍｍ程度のステンレス、リン青銅などからできている。磁気ヘッド保持部材４１は、固定部４３、弾性バネ部４４、及び、剛体部４５をこの順に備える。固定部４３の周縁は略直角に折り曲げられて形成され、磁気ヘッド保持部材４１はこの固定部４３にて締結部材４０に固定される。磁気ヘッド保持部材４１の自由端側に配される剛体部４５は、絞り加工を施すことによって剛性が高められている。
剛体部４５は略「Ａ」字状を有しており、剛体部４５の弾性バネ部４４の近傍にＸ軸方向に架橋された第２の磁気ヘッド押さえ４６が設けられている。第２の磁気ヘッド押さえ４６は支持体６の第１のバネ系１０よりも上に位置するように配置されている。
また、剛体部４５の先端（自由端）付近にはＸ軸方向に架橋された第１の磁気ヘッド押さえ４７が設けられている。第１の磁気ヘッド押さえ４７は、支持体５の第２のバネ系８よりも上に位置しており、磁気ヘッド４が第２の位置をとるときに、第２のバネ系８と当接し、ヘッド本体５のＺ軸方向の位置を規制する。
４８は光磁気ディスク１の表面と略直交する方向に光磁気ディスク１側へ突出した姿勢保持部であり、鉄、ステンレスなどの金属で形成され、磁気ヘッド保持部材４１にレーザースポット溶接や電気スポット溶接などで固着される。あるいは、姿勢保持部４８は、樹脂を用いて、融着や樹脂一体成型などで磁気ヘッド保持部材４１に形成されても良い。
剛体部４５は、弾性バネ部４４の弾性力によって光磁気ディスク１の方向に付勢されている。磁気ヘッド４が第１の位置にあるとき、図２に示すように、姿勢保持部４８が板厚０．３ｍｍから１．０ｍｍ程度のステンレス、鉄などを板金加工し形成されたカートリッジホルダ４９に当接して弾性バネ部４４の弾性力を支持している。このとき、磁気ヘッド保持部材４１は、磁気ヘッド４とＺ軸方向に空間を有しながらＺ方向に位置決めされる。
２６はリフトメカであり、例えばステンレス、鉄、樹脂などで構成され、カートリッジ２を保持するカートリッジホルダ４９に設けられた昇降回動軸２７の周りにＹＺ面内で回動自在に取り付けられている。リフトメカ２６は、Ｙ軸方向においては昇降回動軸２７よりもヘッド本体５側に、且つＺ軸方向においては磁気ヘッド４とカートリッジ２との間に、Ｘ軸方向に沿って延びた昇降部３０を有する。
２８はスライド部材であり、例えばステンレス、鉄、樹脂などで構成され、カートリッジホルダ４９に対してＹ軸方向へスライド移動可能に取り付けられ、モータ、ギヤなどで構成された昇降駆動部２９によってスライド移動する。
スライド部材２８の一部に、Ｚ軸方向の高さが変化したＹ軸方向に沿った傾斜面２８ａが形成されている。リフトメカ２６には、図示しないバネなどの弾性部材により、その下面がスライド部材２８の傾斜面２８ａを押圧するように付勢力が与えられている。かくして、スライド部材２８の傾斜面２８ａとリフトメカ２６とが当接する部分にはカム機構が形成される。
磁気ヘッド４の第１の位置（記録位置）では、図２に示すように、リフトメカ２６の昇降部３０は支持材６に当接しておらず、磁気ヘッド４との間に隙間を有している。ヘッド本体５は、カートリッジホルダ４９に設けられた開口４９ａ及びカートリッジ２の開口２ａ内に挿入されて光磁気ディスク１に接触している。
磁気ヘッド４の第１の位置（記録位置）から第２の位置（再生位置、図３参照）への移動は以下のように行われる。スライド部材２８が図１の矢印ａの方向へ移動し、傾斜面２８ａがリフトメカ２６を持ち上げる。リフトメカ２６は、昇降部３０が光磁気ディスク１から離間する方向に回動する。そして、昇降部３０が、支持材６に近づき、当接し、支持材６を持ち上げ、第１のバネ系１０を第２の磁気ヘッド押さえ４６に押し当てる。第２の磁気ヘッド押さえ４６は弾性バネ部４４の弾性力により光磁気ディスク１側へ付勢されており、弾性バネ部４４の弾性力は第１のバネ系１０の弾性力より大きいから、第１のバネ系１０が弾性変形する（本実施形態では第１のバネ系１０が撓む）。第１のバネ系１０と第２の磁気ヘッド押さえ４６との当接を境として、ヘッド本体５の光磁気ディスク１から離間する際の回動中心は、第１のバネ系１０の締結部材４０側の端部（Ｐ１）から、第１のバネ系１０の第２の磁気ヘッド押さえ４６との当接部（Ｐ２）へ移動する。さらにリフトメカ２６が回動し昇降部３０が光磁気ディスク１から離間する方向へ移動し、ヘッド本体５（又は第２のバネ系８の先端部付近）が第１の磁気ヘッド押さえ４７と当接する。さらに昇降部３０が上昇し剛体部４５に当接し、昇降部３０が弾性バネ部４４を弾性変形させて剛体部４５を持ち上げ、姿勢保持部４８をカートリッジホルダ４９から離間させる。かくして、図３に示した第２の位置（再生位置）に至る。
次に、磁気ヘッド４の第２の位置（再生位置）から第３の位置（光磁気ディスクの着脱を可能にする位置、図４参照）への移動は以下のように行われる。磁気ヘッド４がリフトメカ２６によって第２の位置に持ち上げられた状態のままでカートリッジホルダ３１が回動中心Ｃ１を中心に傾斜する。このとき、カートリッジホルダ３１に取り付けられたリフトメカ２６もカートリッジホルダ３１と一緒に回動し、リフトメカ２６の昇降部３０が支持材６及び磁気ヘッド保持部材４１を押し上げる。その結果、支持材６の第１のバネ系１０及び磁気ヘッド保持部材４１の弾性バネ部４４が弾性変形して、磁気ヘッド４及び磁気ヘッド保持部材４１が光磁気ディスク１と略平行な状態を保ちながら回動する。かくして、図４に示す第３の位置（光磁気ディスクの着脱を可能にする位置）に至る。この状態では、ヘッド本体５がカートリッジ２と衝突することなく、カートリッジホルダ３１に対してカートリッジ２の着脱を行うことができる。
磁気ヘッド４が第１の位置にあるとき（図２参照）、カートリッジ２の上面から最も突出している（または最も離れている）部分は固定ネジ４２であり、磁気ヘッド４の厚さは、カートリッジ２の上面から固定ネジ４２の上面までの高さＨ１で規定される。磁気ヘッド保持部材４１のＺ軸方向位置とその位置精度は姿勢保持部４８のＺ軸方向の長さとその寸法精度で決まるため、締結部材４０の磁気ヘッド固定部５０のＹ軸方向長さを従来よりも短くできる。これにより、磁気ヘッド固定部５０をカートリッジ２に近づけても（即ち、高さＨ１を小さくしても）、第３の位置（図４参照）で固定部５０がカートリッジ２と干渉しなくなる。従って、高さＨ１を小さくし、且つ、姿勢保持部４８のＺ軸方向の長さを短くすることにより、光磁気記録再生装置をより薄型にできる。
また、弾性バネ部４４が一体に設けられた磁気ヘッド保持部材４１を、締結部材４０に直接固定したことにより、図１４〜図１７に示した従来の磁気ヘッド装置における、固定材７を締結部材１９に対して回動可能に支持し、且つ光磁気ディスク１側に付勢するためのシャフト１８とバネ１２とが本実施の形態では不要となり、部品点数と組立工数を削減できる。
さらに、磁気ヘッド４が第２の位置にあるとき、姿勢保持部４８がカートリッジホルダ４９から離間するので、磁気ヘッド４のＸ軸方向への繰り返し移動による姿勢保持部４８又はカートリッジホルダ４９の摩耗量が減少し、機器の信頼性が向上する。
上記の説明では、磁気ヘッド４が第１の位置にあるとき、ヘッド本体５が光磁気ディスク１と接触しながら摺動する場合を説明した。しかしながら、本発明はこれに限定されず、ヘッド本体５が光磁気ディスク１の表面に対して微小な距離で離間して浮上しながら記録又は再生を行っても良い。
（実施の形態２）
以下、図５〜図６を用いて本発明の実施の形態２に係る磁気ヘッド装置について説明する。図５は本発明の実施の形態２における磁気ヘッド装置の要部平面図であり、図６は図５の磁気ヘッド装置のＸ−Ｘ線での矢印方向から見た要部側面断面図である。
本実施の形態２の磁気ヘッド装置では、姿勢保持部５１が板金加工により磁気ヘッド保持部材５２と一体に形成されている。姿勢保持部５１は、例えば、磁気ヘッド保持部材５２の、カートリッジホルダ４９の上方に位置する部分の一部を、板金加工法等の技術を用いて略「Ｕ」字状に切り欠き、カートリッジホルダ４９側に突出するように折り曲げて形成されている。更に、磁気ヘッド４が第１の位置にあるときに、カートリッジホルダ４９と接触する部分の断面形状が曲面となるように折り曲げ加工が施されている。
上記以外の構成及び動作は実施の形態１と同様であり、その説明を省略する。
以上のように本実施の形態２の磁気ヘッド装置によれば、姿勢保持部５１が磁気ヘッド保持部材５２と一体に形成されているので、姿勢保持部４８と磁気ヘッド保持部材４１とを別個に作製し、その後両者を一体化する実施の形態１と比較して、姿勢保持部５１と磁気ヘッド保持部材５２との間の強度が向上し、また、部品点数を削減できる。
上記以外は、実施の形態１と同様の効果を奏する。
（実施の形態３）
以下、図７〜図８を用いて本発明の実施の形態３に係る磁気ヘッド装置について説明する。図７は本発明の実施の形態３における磁気ヘッド装置の要部平面図であり、図８は図７の磁気ヘッド装置のＸ−Ｘ線での矢印方向から見た要部側面断面図である。
本実施の形態３の磁気ヘッド装置では、磁気ヘッド４が第１の位置にあるときに、撓んだ第１のバネ系１０のうち光磁気ディスク１に最も接近する部分に対向するカートリッジホルダ５３の領域を窪ませて凹部５４が形成されている。凹部５４は例えば鍛造などによって形成できる。
磁気ヘッド４が第１の位置にあるとき、支持材６の第１のバネ系１０は、ヘッド本体５を光磁気ディスク１に押し当て光磁気ディスク１の面振れに追従させるため、カートリッジホルダ５３側が凸となるように撓んでカートリッジホルダ５３に接近する。この第１のバネ系１０のうち、撓みによってカートリッジホルダ５３に最も接近する部分とＺ軸方向において対向するカートリッジホルダ５３の領域に凹部５４が形成される。磁気ヘッド４は光磁気ディスク１の半径方向（Ｘ軸方向）に移動するから、凹部５４のＸ軸方向の形成範囲は、第１のバネ系１０のカートリッジホルダ５３に最も接近する部分及び姿勢保持部５１のＸ軸方向の移動範囲に対応している。また、Ｙ軸方向には、姿勢保持部５１がカートリッジホルダ５３に当接する部分にまで凹部５４が延設され、磁気ヘッド４が第１の位置にあるときに、姿勢保持部５１は凹部５４内でカートリッジホルダ５３と当接している。
上記以外の構成及び動作は実施の形態１、２と同様であり、その説明を省略する。
以上のように本実施の形態３の磁気ヘッド装置によれば、磁気ヘッド４が第１の位置にあるとき、第１のバネ系１０のうち光磁気ディスク１に最も接近する部分に対向するカートリッジホルダ５３の領域に凹部５４を形成したので、支持材６（特にその第１のバネ系１０）とカートリッジホルダ５３とのクリアランスが拡大する。従って、磁気ヘッド４が第１の位置にあるときに、第１のバネ系１０とカートリッジホルダ５３との衝突回避の観点から決定される、第１のバネ系１０の撓み量のばらつきに関する許容誤差範囲を拡大することができる。従って、支持材６の生産での歩留まりが向上する。
更に、磁気ヘッド４が第１の位置にあるとき、姿勢保持部５１が凹部５４内でカートリッジホルダ５３と当接することにより、光磁気記録再生装置を更に薄型にできる。また、磁気ヘッド４が第１の位置にあるとき、第１のバネ系１０のうち光磁気ディスク１に最も接近する部分の位置と姿勢保持部５１の位置とがＹ軸方向において一致又は近接する場合でも、第１のバネ系１０とカートリッジホルダ５３とのクリアランスを確保できる。従って、磁気ヘッド４が第１の位置にあるときの、第１のバネ系１０の撓み変形形状に関する許容範囲が拡大するので、支持材６の設計自由度が増す。
上記以外は、実施の形態１、２と同様の効果を奏する。
なお、姿勢保持部５１は、凹部５４の領域外でカートリッジホルダ５３と当接しても良い。
（実施の形態４）
以下、図９〜図１０を用いて本発明の実施の形態４に係る磁気ヘッド装置について説明する。図９は本発明の実施の形態４における磁気ヘッド装置の要部平面図であり、図１０は図９の磁気ヘッド装置のＸ−Ｘ線での矢印方向から見た要部側面断面図である。
本実施の形態４の磁気ヘッド装置では、磁気ヘッド４が第１の位置にあるときに、撓んだ第１のバネ系１０のうち光磁気ディスク１に最も接近する部分に対向するカートリッジホルダ５５の領域に穴（貫通穴）５６が形成されている。
磁気ヘッド４が第１の位置にあるとき、支持材６の第１のバネ系１０は、カートリッジホルダ５５側が凸となるように撓んでカートリッジホルダ５５に接近する。この第１のバネ系１０のうち、撓みによってカートリッジホルダ５５に最も接近する部分とＺ軸方向において対向するカートリッジホルダ５５の領域に穴５６が形成される。穴５６のＸ軸方向の形成範囲は、第１のバネ系１０のカートリッジホルダ５５に最も接近する部分のＸ軸方向の移動範囲に対応している。磁気ヘッド４が第１の位置にあるときに、姿勢保持部５１はカートリッジホルダ５５と当接する。
上記以外の構成及び動作は実施の形態１、２と同様であり、その説明を省略する。
以上のように本実施の形態４の磁気ヘッド装置によれば、磁気ヘッド４が第１の位置にあるとき、第１のバネ系１０のうち光磁気ディスク１に最も接近する部分に対向するカートリッジホルダ５５の領域に穴５６を形成したので、支持材６（特にその第１のバネ系１０）とカートリッジホルダ５５とのクリアランスが拡大する。従って、磁気ヘッド４が第１の位置にあるときに、第１のバネ系１０とカートリッジホルダ５５との衝突回避の観点から決定される、第１のバネ系１０の撓み量のばらつきに関する許容誤差範囲を拡大することができる。従って、支持材６の生産での歩留まりが向上する。
上記以外は、実施の形態１、２と同様の効果を奏する。
（実施の形態５）
以下、図１１〜図１３を用いて本発明の実施の形態５に係る磁気ヘッド装置について説明する。図１１は本発明の実施の形態５における磁気ヘッド装置の要部平面図であり、図１２は図１１の磁気ヘッド装置のＸ−Ｘ線での矢印方向から見た要部側面断面図であり、図１３は本発明の実施の形態５の磁気ヘッド装置に好ましく使用できるカートリッジの斜視図である。
本実施の形態５の磁気ヘッド装置では、磁気ヘッド４が第１の位置にあるときに、撓んだ第１のバネ系１０のうち光磁気ディスク１に最も接近する部分及び姿勢保持部５１に対向するカートリッジホルダ５７の領域に穴５８が形成されている。穴５８のＸ軸方向の形成範囲は、第１のバネ系１０のカートリッジホルダ５７に最も接近する部分及び姿勢保持部５１のＸ軸方向の移動範囲に対応している。磁気ヘッド４が第１の位置にあるときに、姿勢保持部５１は穴５８を通過し、カートリッジ６０に設けられた受け部５９と当接する。受け部５９は、カートリッジ６０がカートリッジホルダ５７に装着された状態において、穴５８内の下方に露出するように形成されている。姿勢保持部５１がＸ軸方向に移動する際、姿勢保持部５１は常に受け部５９上を摺動する。
受け部５９は、鉄、ステンレスなどの耐摩耗性と摺動性とに優れた材料からなり、樹脂でできたカートリッジ本体６１と一体成形により形成することができる。
上記以外の構成及び動作は実施の形態１、２と同様であり、その説明を省略する。
以上のように本実施の形態５の磁気ヘッド装置によれば、実施の形態４と同様に、支持材６（特にその第１のバネ系１０）とカートリッジホルダ５７とのクリアランスが拡大する。従って、磁気ヘッド４が第１の位置にあるとき、第１のバネ系１０とカートリッジホルダ５７との衝突回避の観点から決定される、第１のバネ系１０の撓み量のばらつきに関する許容誤差範囲を拡大することができる。従って、支持材６の生産での歩留まりが向上する。
更に、磁気ヘッド４が第１の位置にあるとき、第１のバネ系１０のうち光磁気ディスク１に最も接近する部分の位置と姿勢保持部５１の位置とがＹ軸方向において一致又は近接する場合でも、穴５８を形成して上記の実施の形態４と同様の効果を確保できる。従って、磁気ヘッド４が第１の位置にあるときの、第１のバネ系１０の撓み変形形状に関する許容範囲が拡大するので、支持材６の設計自由度が増す。
また、磁気ヘッド４が第１の位置にあるとき、姿勢保持部５１がカートリッジホルダ５７ではなくカートリッジ６０の受け部５９と当接することにより、光磁気記録再生装置を更に薄型にできる。
上記以外は、実施の形態１、２と同様の効果を奏する。
本実施の形態では受け部５９を設けたカートリッジ６０を使用しているが、受け部５９が形成されていない図１９に示したカートリッジ２を使用して、姿勢保持部５１をカートリッジ２に直接当接させても良い。
また、カートリッジホルダ５７に形成される穴５８は、ヘッド本体５が挿入される開口とは独立して設けられても良く、あるいは、両者が連続した一つの開口として設けられても良い。
以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【産業上の利用の可能性】
本発明の磁気ヘッド装置の利用分野は特に限定されず、磁気ヘッドを搭載する情報記録再生装置に広く利用できる。中でも、薄型、小型、軽量であることが要求される携帯型の機器として利用されることが好ましい。また、光磁気記録方式に限られず、磁気記録方式の情報記録再生装置に利用することも可能である。
【図１】
2004068486.tif 000003
【図２】
2004068486.tif 000004
【図３】
2004068486.tif 000005
【図４】
2004068486.tif 000006
【図５】
2004068486.tif 000007
【図６】
2004068486.tif 000008
【図７】
2004068486.tif 000009
【図８】
2004068486.tif 000010
【図９】
2004068486.tif 000011
【図１０】
2004068486.tif 000012
【図１１】
2004068486.tif 000013
【図１２】
2004068486.tif 000014
【図１３】
2004068486.tif 000015
【図１４】
2004068486.tif 000016
【図１５】
2004068486.tif 000017
【図１６】
2004068486.tif 000018
【図１７】
2004068486.tif 000019
【図１８】
2004068486.tif 000020
【図１９】
2004068486.tif 000021
【手続補正書】
【提出日】平成16年9月28日(2004.9.28)
【手続補正１】
【補正対象書類名】特許請求の範囲
【補正対象項目名】全文
【補正方法】変更
【補正の内容】
【特許請求の範囲】
【請求項１】
情報記録媒体が収納されたカートリッジを保持するカートリッジホルダと、
一端を固定端とし、他端を自由端として片持ち支持され、前記固定端が前記情報記録媒体の表面と略平行な方向に移動する締結部材に取り付けられ、前記固定端と前記自由端との間に支持材弾性部を有する支持材と、前記支持材の前記自由端に取り付けられ、前記情報記録媒体に磁界を印加するヘッド本体とを有する磁気ヘッドと、
前記情報記録媒体の表面と略平行に前記締結部材から前記ヘッド本体側へ伸びるように前記締結部材によって片持ち支持され、前記支持材を挟んで前記情報記録媒体と対峙し、前記締結部材近傍に弾性変形可能な弾性バネ部を有する磁気ヘッド保持部材と
を有する磁気ヘッド装置であって、
前記磁気ヘッドは、前記ヘッド本体が前記情報記録媒体に近接又は接触し記録又は再生を行う第１の位置と、前記ヘッド本体が前記情報記録媒体から遠ざかる第２の位置と、前記磁気ヘッドと前記情報記録媒体とが相互に略平行な状態を保ちながら傾斜し、前記カートリッジホルダに対して前記カートリッジの着脱を可能にする第３の位置とをとり、
前記磁気ヘッド保持部材は、前記磁気ヘッドの長手方向において前記ヘッド本体よりも前記締結部材側に、前記情報記録媒体側へ突出した姿勢保持部を具備し、
前記磁気ヘッドが前記第１の位置にあるとき、前記姿勢保持部が前記カートリッジホルダと当接することを特徴とする磁気ヘッド装置。
【請求項２】
前記姿勢保持部が前記磁気ヘッド保持部材と一体に形成されている請求項１に記載の磁気ヘッド装置。
【請求項３】
前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、凹部又は穴が形成されている請求項１に記載の磁気ヘッド装置。
【請求項４】
前記第２の位置において、前記姿勢保持部が前記カートリッジホルダから離間する請求項１に記載の磁気ヘッド装置。
【請求項５】
情報記録媒体が収納されたカートリッジを保持するカートリッジホルダと、
一端を固定端とし、他端を自由端として片持ち支持され、前記固定端が前記情報記録媒体の表面と略平行な方向に移動する締結部材に取り付けられ、前記固定端と前記自由端との間に支持材弾性部を有する支持材と、前記支持材の前記自由端に取り付けられ、前記情報記録媒体に磁界を印加するヘッド本体とを有する磁気ヘッドと、
前記情報記録媒体の表面と略平行に前記締結部材から前記ヘッド本体側へ伸びるように前記締結部材によって片持ち支持され、前記支持材を挟んで前記情報記録媒体と対峙し、前記締結部材近傍に弾性変形可能な弾性バネ部を有する磁気ヘッド保持部材と
を有する磁気ヘッド装置であって、
前記磁気ヘッドは、前記ヘッド本体が前記情報記録媒体に近接又は接触し記録又は再生を行う第１の位置と、前記ヘッド本体が前記情報記録媒体から遠ざかる第２の位置と、前記磁気ヘッドと前記情報記録媒体とが相互に略平行な状態を保ちながら傾斜し、前記カートリッジホルダに対して前記カートリッジの着脱を可能にする第３の位置とをとり、
前記磁気ヘッド保持部材は、前記磁気ヘッドの長手方向において前記ヘッド本体よりも前記締結部材側に、前記情報記録媒体側へ突出した姿勢保持部を具備し、
前記締結部材の移動により前記姿勢保持部が移動する前記カートリッジホルダの領域に穴が形成されており、
前記カートリッジが前記カートリッジホルダに保持され、且つ前記磁気ヘッドが前記第１の位置にあるとき、前記姿勢保持部は前記穴を通過し、前記カートリッジと当接することを特徴とする磁気ヘッド装置。
【請求項６】
前記姿勢保持部が前記磁気ヘッド保持部材と一体に形成されている請求項５に記載の磁気ヘッド装置。
【請求項７】
前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、前記穴が延設されている請求項５に記載の磁気ヘッド装置。
【請求項８】
前記カートリッジは一方の面に受け部を具備し、前記カートリッジが前記カートリッジホルダに保持され、且つ前記磁気ヘッドが前記第１の位置にあるとき、前記姿勢保持部が前記穴を通過し、前記受け部と当接する請求項５に記載の磁気ヘッド装置。
【請求項９】
前記第２の位置において、前記姿勢保持部が前記カートリッジから離間する請求項５に記載の磁気ヘッド装置。
【手続補正２】
【補正対象書類名】明細書
【補正対象項目名】全文
【補正方法】変更
【補正の内容】
【発明の詳細な説明】
【技術分野】
【０００１】
本発明は磁気ヘッド装置に関するものであり、詳しくは情報記録再生装置の薄型化を可能とする磁気ヘッド装置に関するものである。
【背景技術】
【０００２】
光磁気記録再生装置は、ディスク回転駆動機構によって回転操作される情報記録媒体である光磁気ディスクの一方の面側に、情報記録媒体の光磁気記録層に照射される光ビームを出射する光学ヘッドを備え、光磁気ディスクの他方の面側に、光磁気記録層に外部磁界を印加する磁気ヘッドを前記光学ヘッドと対向して備えている。
【０００３】
光磁気記録再生装置は、回転操作される光磁気ディスクの光磁気記録層に、磁気ヘッドから記録すべき情報信号に応じて磁界の向きが変調された磁界を印加するとともに、光学ヘッドから出射される光ビームを集光して照射する。
【０００４】
この光ビーム照射によって、キュリー温度以上に加熱されて保磁力を消失した光磁気記録層の部分が、磁気ヘッドから印加される磁界の方向に応じて磁化された後、光磁気ディスクの回転による光ビームの相対移動によってキュリー温度以下に低下し、この磁化の方向が固定されることによって情報信号の記録が行われる。
【０００５】
光磁気ディスクは回転操作されるので面振れを生じ易い。このため磁気ヘッドでは光磁気ディスクの面振れ方向に揺動可能な片持ち支持された支持材の自由端にヘッド本体が取り付けられている。このヘッド本体は、磁界印加部分が装着され、且つ、光磁気ディスクと接触摺動または光磁気ディスクと微少な距離を保って浮上するスライダから構成される。
【０００６】
磁気ヘッドは、スライダが光磁気ディスクに対して接触摺動又は浮上するなどして互いに近接し記録状態となる第１の位置と、磁気ヘッド装置の磁気ヘッド昇降装置により支持材の自由端とヘッド本体とが光磁気ディスクから離間し、再生状態となる第２の位置と、磁気ヘッドと光磁気ディスクとが相互に略平行な状態を保ちながら傾斜し、光磁気ディスクの着脱を可能にする第３の位置とを採る。
【０００７】
従来の磁気ヘッド装置は、例えば特許文献１に記載されている。
【０００８】
以下、図１４〜図１９を用いて従来の磁気ヘッド装置について説明する。図１４は従来の磁気ヘッド装置の一例の平面図である。図示したように、光磁気ディスク１の半径方向をＸ軸、接線方向をＹ軸、法線方向をＺ軸とするＸＹＺ３次元直交座標系を設定する。図１５は図１４に示した磁気ヘッド装置の第１の位置（記録位置）でのＸ−Ｘ線での矢印方向から見た側面断面図である。図１６は図１４に示した磁気ヘッド装置の第２の位置（再生位置）でのＸ−Ｘ線での矢印方向から見た側面断面図である。図１７は図１４に示した磁気ヘッド装置の第３の位置（光磁気ディスクの着脱を可能にする位置）でのＸ−Ｘ線での矢印方向から見た側面断面図である。図１８は図１４に示す磁気ヘッドのヘッド本体の側面断面図である。図１９は一般的なカートリッジの一例の斜視図である。
【０００９】
従来の磁気ヘッド装置は、ヘッド本体５と、その摺動部１７を光磁気ディスク１の面に加圧する薄い支持材６と、この支持材６の一端を取り付けた固定材７とからなる。片持ち支持された支持材６の他端（自由端）には、接着、融着などの方法によってヘッド本体５が取り付けられている。
【００１０】
ヘッド本体５は、図１８に示すように、巻回したコイル１４を、フェライト等の軟磁性体からなるＥ型の磁気コア１３の中心磁極に装着して形成された磁気ヘッド素子１５と、直接光磁気ディスク１に接触摺動する摺動部１７を具備し、摺動性の良い樹脂、例えばポリフェニレンサルファイド、液晶ポリマーなどでできた摺動体（スライダ）１６とを備える。磁気ヘッド素子１５は、摺動体１６に接着固定又は樹脂一体成形などで一体に取り付けられる。
【００１１】
支持材６は、例えばＳＵＳ３０４、ＢｅＣｕなどの薄板で形成される。
【００１２】
支持材６は、その一端が固定材７に固定され、光磁気ディスク１の面振れに追従し、且つ光磁気ディスク１への記録を行う位置である第１の位置で、ヘッド本体５に光磁気ディスク１の方向への荷重を与える為の第１の弾性部である第１のバネ系１０と、この第１のバネ系１０に対してカートリッジ２と干渉しないような所定角度で傾斜して第１のバネ系１０より延設され、幅方向両側に絞りで形成された絞りリブ１１を有することで剛体をなす中継部９と、中継部９より延長され、光磁気ディスク１の表面形状に追従するための第２の弾性部である第２のバネ系８とで構成される。
【００１３】
フレキシブルプリント基板３は、その一端がヘッド本体５に接着され、他端が支持材６の固定材７付近に接着されている。フレキシブルプリント基板３の一端にはコイル１４の引き出し線の両端が半田付けされ、他端は図示しない磁気ヘッドの駆動回路へ接続される。
【００１４】
固定材７は、例えば鉄、ステンレスなどの金属板からなる。
【００１５】
支持材６の一端が固定された固定材７は、磁気ヘッド４と図示しない光学ヘッドとを締結する締結部材１９にシャフト１８を介し回動自在に取り付けられ、バネ１２によって光磁気ディスク１の方向へ付勢されている。そして締結部材１９の受け部２０に固定材７が当接することで、固定材７及び固定材７に固定された磁気ヘッド４がＺ軸方向に位置決めされる。
【００１６】
固定材７からは、Ｙ軸方向に沿ってヘッド本体５側へアーム部２３が延設されている。アーム部２３は、その先端に第１の磁気ヘッド押さえ２２を備え、これより固定材７側の位置に第２の磁気ヘッド押さえ２１を備える。第１の磁気ヘッド押さえ２２は、ヘッド本体５（より詳しくは第２のバネ系８）の上方に位置するように、Ｘ軸方向に沿って形成されている。第２の磁気ヘッド押さえ２１は、第１のバネ系１０の上方に位置するように、Ｘ軸方向に沿って形成されている。
【００１７】
光磁気ディスク１は図１９に示すカートリッジ２に収納されている。カートリッジ２は、ＡＢＳやポリカーボネイトなどの樹脂からなるカートリッジ本体２４と、鉄、ステンレスなどの金属からなり、カートリッジ本体２４に設けられた開口（図示せず）を開閉可能なようにカートリッジ本体２４に取り付けられたシャッター２５とからなる。
【００１８】
次に、磁気ヘッド４を第１の位置から第２の位置へ移動する磁気ヘッド昇降装置について説明する。
【００１９】
リフトメカ２６は、光磁気ディスク１を収納するカートリッジ２を保持するカートリッジホルダ３１と磁気ヘッド４との間に配され、カートリッジホルダ３１に設けられた昇降回動軸２７の周りに回動自在に取り付けられている。カートリッジホルダ３１にはスライド部材２８が取り付けられ、スライド部材２８は、カートリッジホルダ３１に取り付けられたモータ、ギヤなどから構成される昇降駆動部２９によって、図１４の矢印ａまたは矢印ｂの方向（図１４〜図１９のＹ軸方向）にスライド可能となっている。スライド部材２８の一部に、Ｚ軸方向の高さが変化したＹ軸方向に沿った傾斜面２８ａが形成されている。リフトメカ２６には、図示しないバネなどの弾性部材により、その下面がスライド部材２８の傾斜面２８ａを押圧するように付勢力が与えられている。かくして、スライド部材２８の傾斜面２８ａとリフトメカ２６とが当接する部分にはカム機構が形成される。リフトメカ２６およびスライド部材２８は、例えばステンレスや鉄等の薄い金属板や樹脂からなる。磁気ヘッド４を第２の位置に移動させたときに磁気ヘッド４と当接するリフトメカ２６の部位には、曲面形状を有する昇降部３０が配されている。
【００２０】
磁気ヘッド４の第１の位置（記録位置）、即ち図１５に示す如く摺動部１７が光磁気ディスク１と接触摺動する状態では、ヘッド本体５に光磁気ディスク１へ接触する方向に荷重を与える第１のバネ系１０、及び光磁気ディスク１の面振れや表面形状の変化に応じて変位する第２のバネ系８によって、摺動部１７は光磁気ディスク１の面振れや表面形状の変化に追従し常に接触摺動する。
【００２１】
この時リフトメカ２６の昇降部３０は、磁気ヘッド４と接触しないように、光磁気ディスク１側へ退避している。
【００２２】
磁気ヘッド４の第１の位置（記録位置）から第２の位置（再生位置、図１６参照）への移動は以下のように行われる。昇降駆動部２９によってスライド部材２８が図１４に示す矢印ａの方向にスライド移動する。カム機構を構成する傾斜面２８ａがリフトメカ２６の下面に当接してリフトメカ２６を持ち上げて、リフトメカ２６を昇降回動軸２７を中心として回動させ、昇降部３０は光磁気ディスク１から離間する方向へ移動する。そして、昇降部３０は磁気ヘッド４の中継部９の下面（光磁気ディスク１側の面）と当接し、支持材６を光磁気ディスク１から離間する方向に移動させる。この移動過程で、第１のバネ系１０が第２の磁気ヘッド押さえ２１に当接する。この当接を境として、ヘッド本体５の光磁気ディスク１から離間する際の回動中心は、第１のバネ系１０の固定材７側の端部（Ｐ１）から、第１のバネ系１０の第２の磁気ヘッド押さえ２１との当接部（Ｐ２）へ移動する。さらに昇降部３０は光磁気ディスク１から離間する方向へ移動し、ヘッド本体５は光磁気ディスク１から更に離間して、ヘッド本体５（又は第２のバネ系８）が第１の磁気ヘッド押さえ２２と当接する。かくして、ヘッド本体５はカートリッジ２に対して隙間Ｈ２を有する位置、すなわち第２の位置へ上昇する。このとき、ヘッド本体５がアーム部２３よりも上方に突出しないことにより、磁気ヘッド装置の薄型化を実現していた。
【００２３】
次に、磁気ヘッド４の第２の位置（再生位置）から第３の位置（光磁気ディスクの着脱を可能にする位置、図１７参照）への移動は以下のように行われる。磁気ヘッド４がリフトメカ２６によって第２の位置に持ち上げられた状態のままでカートリッジホルダ３１が回動中心Ｃ１を中心に傾斜すると、カートリッジホルダ３１に取り付けられたリフトメカ２６の昇降部３０がアーム部２３の下面（光磁気ディスク１側の面）と当接する。カートリッジホルダ３１が更に傾斜すると、昇降部３０は、ばね１２の付勢力に打ち勝って、磁気ヘッド４とアーム部２３とこれらが一体化された固定材７とをシャフト１８を中心として締結部材１９に対して回動させる。カートリッジホルダ３１が第３の位置にまで回動したとき、昇降部３０は、磁気ヘッド４とアーム部２３とこれらが一体化された固定材７とを光磁気ディスク１に対して略平行に保持する。かくして、ヘッド本体５がカートリッジ２と衝突することなく、カートリッジホルダ３１に対してカートリッジ２の着脱を可能にしていた。
【特許文献１】国際公開ＷＯ００／５１１１６号パンフレット
【発明の開示】
【発明が解決しようとする課題】
【００２４】
近年小型のポータブル機器の普及に伴い、装置の薄型化が進んでおり、磁気ヘッド４の薄型化やカートリッジ２の上面から固定材７までの高さＨ１の薄型化が進んでいる。
【００２５】
しかしながら、上記従来の磁気ヘッド装置では、磁気ヘッド４が第３の位置にあるときに、受け部２０がカートリッジ２及び／又はカートリッジホルダ３１と干渉するのを防ぐため、シャフト１８から受け部２０までの距離を短くする必要がある。この結果、固定材７がバネ１２の付勢力を受けて受け部２０に押圧されている状態のときに、片持ち支持されたアーム部２３の自由端のＺ軸方向における位置の誤差が大きくなってしまう。
【００２６】
磁気ヘッド４が第２の位置にあるとき、ヘッド本体５は、アーム部２３の第１の磁気ヘッド押さえ２２と当接した状態で、カートリッジ２に対して隙間Ｈ２だけ離間しなければならない。アーム部２３の自由端のＺ軸方向位置の誤差が大きい場合には、この誤差を加味してもなおこの隙間Ｈ２を確保できるように、受け部２０やシャフト１８をカートリッジホルダ３１から離間させる必要が生じる。その結果、高さＨ１が増大し、磁気ヘッド装置及び光磁気記録再生装置の薄型化が実現できないという問題があった。
【００２７】
また、アーム部２３の自由端のＺ軸方向位置の誤差が大きい場合には、磁気ヘッド４が第１の位置及び第２の位置にあるとき、その誤差を加味してもなおアーム部２３の自由端がその上に設けられる光磁気記録再生装置の外装筐体（図示せず）と干渉しないように、アーム部２３の自由端と外装筐体との間に隙間を確保しておく必要がある。その結果、光磁気記録再生装置の薄型化が実現できないという問題があった。
【００２８】
また、固定材７を回動可能に支持し、且つ光磁気ディスク１側に付勢するために、シャフト１８とバネ１２とが必要となり、部品点数や組立工数が増大し、磁気ヘッド装置及び光磁気記録再生装置を低価格にできないという問題があった。
【００２９】
本発明は上記従来の問題点を解決するものであり、光磁気記録再生装置の薄型化と低価格化を可能とする磁気ヘッド装置を提供することを目的とする。
【課題を解決するための手段】
【００３０】
本発明の磁気ヘッド装置は、（ａ）情報記録媒体が収納されたカートリッジを保持するカートリッジホルダと、（ｂ）一端を固定端とし、他端を自由端として片持ち支持され、前記固定端が前記情報記録媒体の表面と略平行な方向に移動する締結部材に取り付けられ、前記固定端と前記自由端との間に支持材弾性部を有する支持材と、前記支持材の前記自由端に取り付けられ、前記情報記録媒体に磁界を印加するヘッド本体とを有する磁気ヘッドと、（ｃ）前記情報記録媒体の表面と略平行に前記締結部材から前記ヘッド本体側へ伸びるように前記締結部材によって片持ち支持され、前記支持材を挟んで前記情報記録媒体と対峙し、前記締結部材近傍に弾性変形可能な弾性バネ部を有する磁気ヘッド保持部材とを有する。前記磁気ヘッドは、前記ヘッド本体が前記情報記録媒体に近接又は接触し記録又は再生を行う第１の位置と、前記ヘッド本体が前記情報記録媒体から遠ざかる第２の位置と、前記磁気ヘッドと前記情報記録媒体とが相互に略平行な状態を保ちながら傾斜し、前記カートリッジホルダに対して前記カートリッジの着脱を可能にする第３の位置とをとる。前記磁気ヘッド保持部材は、前記磁気ヘッドの長手方向において前記ヘッド本体よりも前記締結部材側に、前記情報記録媒体側へ突出した姿勢保持部を具備する。
【００３１】
本発明の第１の磁気ヘッド装置においては、前記磁気ヘッドが前記第１の位置にあるとき、前記姿勢保持部が前記カートリッジホルダと当接する。
【００３２】
また、本発明の第２の磁気ヘッド装置においては、前記締結部材の移動により前記姿勢保持部が移動する前記カートリッジホルダの領域に穴が形成されている。そして、前記カートリッジが前記カートリッジホルダに保持され、且つ前記磁気ヘッドが前記第１の位置にあるとき、前記姿勢保持部は前記穴を通過し、前記カートリッジと当接する。
【発明の効果】
【００３３】
上記の本発明の第１及び第２の磁気ヘッド装置によれば、磁気ヘッド及び磁気ヘッド保持部材が取り付けられる締結部材の部分とカートリッジとの隙間を小さくすることができるので、光磁気記録再生装置をより薄型にできる。また、締結部材に片持ち支持される磁気ヘッド保持部材が弾性バネ部を有するので、部品点数と組立工数を削減でき、光磁気記録再生装置をより低価格にできる。
【発明を実施するための最良の形態】
【００３４】
上記の本発明の第１及び第２の磁気ヘッド装置において、前記姿勢保持部が前記磁気ヘッド保持部材と一体に形成されていることが好ましい。これにより、姿勢保持部と磁気ヘッド保持部材との間の強度を高くすることができ、また、部品点数を削減することができる。
【００３５】
上記の本発明の第１の磁気ヘッド装置において、前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、凹部又は穴が形成されていることが好ましい。これにより、支持材の撓み量のばらつき等の部品誤差の許容範囲が拡大するので、生産での歩留まりがより向上する。よって、磁気ヘッド装置を低価格にできる。
【００３６】
上記の本発明の第１の磁気ヘッド装置において、前記第２の位置において、前記姿勢保持部が前記カートリッジホルダから離間することが好ましい。これにより、姿勢保持部又はカートリッジホルダの摩耗が減り、機器の信頼性が向上する。
【００３７】
また、上記の本発明の第２の磁気ヘッド装置において、前記磁気ヘッドが前記第１の位置にあるとき、前記支持材弾性部が撓み、前記情報記録媒体の表面と直交する方向において、撓んだ前記支持材弾性部のうち前記情報記録媒体に最も接近する部分と対向する、前記カートリッジホルダの領域に、前記穴が延設されていることが好ましい。これにより、支持材の撓み量のばらつき等の部品誤差の許容範囲が拡大するので、生産での歩留まりがより向上する。よって、磁気ヘッド装置を低価格にできる。この効果は、撓んだ支持材弾性部のうち情報記録媒体に最も接近する部分と姿勢保持部とが、磁気ヘッドの長手方向においてほぼ同一位置にある場合であっても得られるので、磁気ヘッド装置の設計の自由度が増す。
【００３８】
上記の本発明の第２の磁気ヘッド装置において、前記カートリッジは一方の面に受け部を具備し、前記カートリッジが前記カートリッジホルダに保持され、且つ前記磁気ヘッドが前記第１の位置にあるとき、前記姿勢保持部が前記穴を通過し、前記受け部と当接することが好ましい。これにより、受け部の材料を適切に選択することにより、ヘッド本体を情報記録媒体の半径方向に移動させたとき、姿勢保持部が受け部上を摺動することによる摩耗粉や異音の発生を防止でき、また、移動させるための駆動力を低減できる。
【００３９】
上記の本発明の第２の磁気ヘッド装置において、前記第２の位置において、前記姿勢保持部が前記カートリッジから離間することが好ましい。これにより、姿勢保持部又はカートリッジの摩耗が減り、機器の信頼性が向上する。
【００４０】
以下、本発明の実施の形態について、図面を用いて説明する。
【００４１】
（実施の形態１）
図１は本発明の実施の形態１における磁気ヘッド装置の平面図である。図示したように、光磁気ディスク１の半径方向をＸ軸、接線方向をＹ軸、法線方向をＺ軸とするＸＹＺ３次元直交座標系を設定する。以下の説明の便宜のために、Ｚ軸方向を高さ方向とし、光磁気ディスク１から遠い側を上側、近い側を下側とする。但し、ここでいう「高さ」、「上」、「下」は磁気ヘッド装置の実際の使用状態での向きとは無関係である。図２は図１の磁気ヘッド装置の第１の位置（記録位置）でのＸ−Ｘ線での矢印方向から見た側面断面図であり、図３は図１の磁気ヘッド装置の第２の位置（再生位置）でのＸ−Ｘ線での矢印方向から見た側面断面図であり、図４は図１の磁気ヘッド装置の第３の位置（光磁気ディスクの着脱を可能にする位置）でのＸ−Ｘ線での矢印方向から見た側面断面図である。
【００４２】
なお、図１４〜図１９に示した従来例と同じ機能を有する構成部品には同じ符号を付記しその詳細な説明は省略する。
【００４３】
図１〜図４において、６は支持材であり、例えばＳＵＳ３０４やＢｅＣｕなどの薄いバネ材でできている。本実施の形態において例示した支持材６は、その一端が締結部材４０に固定され、光磁気ディスク１の面振れに追従し、且つ第１の位置でヘッド本体５に光磁気ディスク１の方向への荷重を与える為の第１の弾性変形部（支持材弾性部）である第１のバネ系１０と、第１のバネ系１０に対してカートリッジ２と干渉しないような所定角度で傾斜して第１のバネ系１０より延設され、かつ、幅方向両縁を略直角に折り曲げることで剛体をなす中継部９と、中継部９に対して所定の角度をなして中継部９から延設され、光磁気ディスク１の面振れ、表面形状に追従するための第２の弾性変形部である第２のバネ系８とを有する。
【００４４】
締結部材４０は、例えば鉄、ステンレスなどの金属板からなる。締結部材４０は、光磁気ディスク１を挟んで対峙して配される磁気ヘッド４と光学ヘッド（図示せず）とを締結する。締結部材４０の磁気ヘッド４側の端には、光磁気ディスク１と略平行にヘッド本体５側に延びた磁気ヘッド固定部５０を具備する。支持材６及び磁気ヘッド保持部材４１は、それぞれの一端が磁気ヘッド固定部５０に固定ネジ４２で固定されて片持ち支持される。締結部材４０は、図示しない駆動装置によりＸ軸方向に移動され、ヘッド本体５及び光学ヘッド（図示せず）を光磁気ディスク１の情報トラックの接線と直交する方向に移動させる。
【００４５】
ヘッド本体５は、例えば図１８に示すように、巻回したコイル１４を、フェライト等の軟磁性体からなるＥ型の磁気コア１３の中心磁極に装着して形成された磁気ヘッド素子１５を、Ｅ型の磁気コア１３の解放端を光磁気ディスク１と対向させて、摺動性の良い樹脂、例えばポリフェニレンサルファイド、液晶ポリマーなどでできた摺動体（スライダ）１６に一体に取り付けて形成される。
【００４６】
１７は摺動部であり、摺動体１６の光磁気ディスク１と対向する面に一体に形成されている。摺動部１７は、光磁気ディスク１に垂直な方向の断面形状を円弧状とすることで、光磁気ディスク１と常に点接触してなめらかに接触摺動を行う。
【００４７】
３はヘッド本体５に変調信号を伝送するための配線が施されたフレキシブルプリント基板であり、支持材６に例えば両面テープ（図示せず）で貼り付けられている。フレキシブルプリント基板３の一端にはコイル１４の引き出し線の両端が半田付けされ、他端は図示しない磁気ヘッドの駆動回路へ接続される。
【００４８】
ヘッド本体５は、片持ち支持構造の支持材６の揺動端（自由端）側に、融着または接着によって固定され、又は樹脂一体成形によって一体に形成される。また、支持材６の締結部材４０側の端部（固定端）は磁気ヘッド保持部材４１にレーザースポット溶接や電気スポット溶接などで固定された上で、締結部材４０に固定ネジ４２で固定される。
【００４９】
磁気ヘッド保持部材４１は、板厚が０．０５ｍｍから０．２ｍｍ程度のステンレス、リン青銅などからできている。磁気ヘッド保持部材４１は、固定部４３、弾性バネ部４４、及び、剛体部４５をこの順に備える。固定部４３の周縁は略直角に折り曲げられて形成され、磁気ヘッド保持部材４１はこの固定部４３にて締結部材４０に固定される。磁気ヘッド保持部材４１の自由端側に配される剛体部４５は、絞り加工を施すことによって剛性が高められている。
【００５０】
剛体部４５は略「Ａ」字状を有しており、剛体部４５の弾性バネ部４４の近傍にＸ軸方向に架橋された第２の磁気ヘッド押さえ４６が設けられている。第２の磁気ヘッド押さえ４６は支持体６の第１のバネ系１０よりも上に位置するように配置されている。
【００５１】
また、剛体部４５の先端（自由端）付近にはＸ軸方向に架橋された第１の磁気ヘッド押さえ４７が設けられている。第１の磁気ヘッド押さえ４７は、支持体５の第２のバネ系８よりも上に位置しており、磁気ヘッド４が第２の位置をとるときに、第２のバネ系８と当接し、ヘッド本体５のＺ軸方向の位置を規制する。
【００５２】
４８は光磁気ディスク１の表面と略直交する方向に光磁気ディスク１側へ突出した姿勢保持部であり、鉄、ステンレスなどの金属で形成され、磁気ヘッド保持部材４１にレーザースポット溶接や電気スポット溶接などで固着される。あるいは、姿勢保持部４８は、樹脂を用いて、融着や樹脂一体成型などで磁気ヘッド保持部材４１に形成されても良い。
【００５３】
剛体部４５は、弾性バネ部４４の弾性力によって光磁気ディスク１の方向に付勢されている。磁気ヘッド４が第１の位置にあるとき、図２に示すように、姿勢保持部４８が板厚０．３ｍｍから１．０ｍｍ程度のステンレス、鉄などを板金加工し形成されたカートリッジホルダ４９に当接して弾性バネ部４４の弾性力を支持している。このとき、磁気ヘッド保持部材４１は、磁気ヘッド４とＺ軸方向に空間を有しながらＺ方向に位置決めされる。
【００５４】
２６はリフトメカであり、例えばステンレス、鉄、樹脂などで構成され、カートリッジ２を保持するカートリッジホルダ４９に設けられた昇降回動軸２７の周りにＹＺ面内で回動自在に取り付けられている。リフトメカ２６は、Ｙ軸方向においては昇降回動軸２７よりもヘッド本体５側に、且つＺ軸方向においては磁気ヘッド４とカートリッジ２との間に、Ｘ軸方向に沿って延びた昇降部３０を有する。
【００５５】
２８はスライド部材であり、例えばステンレス、鉄、樹脂などで構成され、カートリッジホルダ４９に対してＹ軸方向へスライド移動可能に取り付けられ、モータ、ギヤなどで構成された昇降駆動部２９によってスライド移動する。
【００５６】
スライド部材２８の一部に、Ｚ軸方向の高さが変化したＹ軸方向に沿った傾斜面２８ａが形成されている。リフトメカ２６には、図示しないバネなどの弾性部材により、その下面がスライド部材２８の傾斜面２８ａを押圧するように付勢力が与えられている。かくして、スライド部材２８の傾斜面２８ａとリフトメカ２６とが当接する部分にはカム機構が形成される。
【００５７】
磁気ヘッド４の第１の位置（記録位置）では、図２に示すように、リフトメカ２６の昇降部３０は支持材６に当接しておらず、磁気ヘッド４との間に隙間を有している。ヘッド本体５は、カートリッジホルダ４９に設けられた開口４９ａ及びカートリッジ２の開口２ａ内に挿入されて光磁気ディスク１に接触している。
【００５８】
磁気ヘッド４の第１の位置（記録位置）から第２の位置（再生位置、図３参照）への移動は以下のように行われる。スライド部材２８が図１の矢印ａの方向へ移動し、傾斜面２８ａがリフトメカ２６を持ち上げる。リフトメカ２６は、昇降部３０が光磁気ディスク１から離間する方向に回動する。そして、昇降部３０が、支持材６に近づき、当接し、支持材６を持ち上げ、第１のバネ系１０を第２の磁気ヘッド押さえ４６に押し当てる。第２の磁気ヘッド押さえ４６は弾性バネ部４４の弾性力により光磁気ディスク１側へ付勢されており、弾性バネ部４４の弾性力は第１のバネ系１０の弾性力より大きいから、第１のバネ系１０が弾性変形する（本実施形態では第１のバネ系１０が撓む）。第１のバネ系１０と第２の磁気ヘッド押さえ４６との当接を境として、ヘッド本体５の光磁気ディスク１から離間する際の回動中心は、第１のバネ系１０の締結部材４０側の端部（Ｐ１）から、第１のバネ系１０の第２の磁気ヘッド押さえ４６との当接部（Ｐ２）へ移動する。さらにリフトメカ２６が回動し昇降部３０が光磁気ディスク１から離間する方向へ移動し、ヘッド本体５（又は第２のバネ系８の先端部付近）が第１の磁気ヘッド押さえ４７と当接する。さらに昇降部３０が上昇し剛体部４５に当接し、昇降部３０が弾性バネ部４４を弾性変形させて剛体部４５を持ち上げ、姿勢保持部４８をカートリッジホルダ４９から離間させる。かくして、図３に示した第２の位置（再生位置）に至る。
【００５９】
次に、磁気ヘッド４の第２の位置（再生位置）から第３の位置（光磁気ディスクの着脱を可能にする位置、図４参照）への移動は以下のように行われる。磁気ヘッド４がリフトメカ２６によって第２の位置に持ち上げられた状態のままでカートリッジホルダ４９が回動中心Ｃ１を中心に傾斜する。このとき、カートリッジホルダ４９に取り付けられたリフトメカ２６もカートリッジホルダ４９と一緒に回動し、リフトメカ２６の昇降部３０が支持材６及び磁気ヘッド保持部材４１を押し上げる。その結果、支持材６の第１のバネ系１０及び磁気ヘッド保持部材４１の弾性バネ部４４が弾性変形して、磁気ヘッド４及び磁気ヘッド保持部材４１が光磁気ディスク１と略平行な状態を保ちながら回動する。かくして、図４に示す第３の位置（光磁気ディスクの着脱を可能にする位置）に至る。この状態では、ヘッド本体５がカートリッジ２と衝突することなく、カートリッジホルダ４９に対してカートリッジ２の着脱を行うことができる。
【００６０】
磁気ヘッド４が第１の位置にあるとき（図２参照）、カートリッジ２の上面から最も突出している（または最も離れている）部分は固定ネジ４２であり、磁気ヘッド４の厚さは、カートリッジ２の上面から固定ネジ４２の上面までの高さＨ１で規定される。磁気ヘッド保持部材４１のＺ軸方向位置とその位置精度は姿勢保持部４８のＺ軸方向の長さとその寸法精度で決まるため、締結部材４０の磁気ヘッド固定部５０のＹ軸方向長さを従来よりも短くできる。これにより、磁気ヘッド固定部５０をカートリッジ２に近づけても（即ち、高さＨ１を小さくしても）、第３の位置（図４参照）で固定部５０がカートリッジ２と干渉しなくなる。従って、高さＨ１を小さくし、且つ、姿勢保持部４８のＺ軸方向の長さを短くすることにより、光磁気記録再生装置をより薄型にできる。
【００６１】
また、弾性バネ部４４が一体に設けられた磁気ヘッド保持部材４１を、締結部材４０に直接固定したことにより、図１４〜図１７に示した従来の磁気ヘッド装置における、固定材７を締結部材１９に対して回動可能に支持し、且つ光磁気ディスク１側に付勢するためのシャフト１８とバネ１２とが本実施の形態では不要となり、部品点数と組立工数を削減できる。
【００６２】
さらに、磁気ヘッド４が第２の位置にあるとき、姿勢保持部４８がカートリッジホルダ４９から離間するので、磁気ヘッド４のＸ軸方向への繰り返し移動による姿勢保持部４８又はカートリッジホルダ４９の摩耗量が減少し、機器の信頼性が向上する。
【００６３】
上記の説明では、磁気ヘッド４が第１の位置にあるとき、ヘッド本体５が光磁気ディスク１と接触しながら摺動する場合を説明した。しかしながら、本発明はこれに限定されず、ヘッド本体５が光磁気ディスク１の表面に対して微小な距離で離間して浮上しながら記録又は再生を行っても良い。
【００６４】
（実施の形態２）
以下、図５〜図６を用いて本発明の実施の形態２に係る磁気ヘッド装置について説明する。図５は本発明の実施の形態２における磁気ヘッド装置の要部平面図であり、図６は図５の磁気ヘッド装置のＸ−Ｘ線での矢印方向から見た要部側面断面図である。
【００６５】
本実施の形態２の磁気ヘッド装置では、姿勢保持部５１が板金加工により磁気ヘッド保持部材５２と一体に形成されている。姿勢保持部５１は、例えば、磁気ヘッド保持部材５２の、カートリッジホルダ４９の上方に位置する部分の一部を、板金加工法等の技術を用いて略「Ｕ」字状に切り欠き、カートリッジホルダ４９側に突出するように折り曲げて形成されている。更に、磁気ヘッド４が第１の位置にあるときに、カートリッジホルダ４９と接触する部分の断面形状が曲面となるように折り曲げ加工が施されている。
【００６６】
上記以外の構成及び動作は実施の形態１と同様であり、その説明を省略する。
【００６７】
以上のように本実施の形態２の磁気ヘッド装置によれば、姿勢保持部５１が磁気ヘッド保持部材５２と一体に形成されているので、姿勢保持部４８と磁気ヘッド保持部材４１とを別個に作製し、その後両者を一体化する実施の形態１と比較して、姿勢保持部５１と磁気ヘッド保持部材５２との間の強度が向上し、また、部品点数を削減できる。
【００６８】
上記以外は、実施の形態１と同様の効果を奏する。
【００６９】
（実施の形態３）
以下、図７〜図８を用いて本発明の実施の形態３に係る磁気ヘッド装置について説明する。図７は本発明の実施の形態３における磁気ヘッド装置の要部平面図であり、図８は図７の磁気ヘッド装置のＸ−Ｘ線での矢印方向から見た要部側面断面図である。
【００７０】
本実施の形態３の磁気ヘッド装置では、磁気ヘッド４が第１の位置にあるときに、撓んだ第１のバネ系１０のうち光磁気ディスク１に最も接近する部分に対向するカートリッジホルダ５３の領域を窪ませて凹部５４が形成されている。凹部５４は例えば鍛造などによって形成できる。
【００７１】
磁気ヘッド４が第１の位置にあるとき、支持材６の第１のバネ系１０は、ヘッド本体５を光磁気ディスク１に押し当て光磁気ディスク１の面振れに追従させるため、カートリッジホルダ５３側が凸となるように撓んでカートリッジホルダ５３に接近する。この第１のバネ系１０のうち、撓みによってカートリッジホルダ５３に最も接近する部分とＺ軸方向において対向するカートリッジホルダ５３の領域に凹部５４が形成される。磁気ヘッド４は光磁気ディスク１の半径方向（Ｘ軸方向）に移動するから、凹部５４のＸ軸方向の形成範囲は、第１のバネ系１０のカートリッジホルダ５３に最も接近する部分及び姿勢保持部５１のＸ軸方向の移動範囲に対応している。また、Ｙ軸方向には、姿勢保持部５１がカートリッジホルダ５３に当接する部分にまで凹部５４が延設され、磁気ヘッド４が第１の位置にあるときに、姿勢保持部５１は凹部５４内でカートリッジホルダ５３と当接している。
【００７２】
上記以外の構成及び動作は実施の形態１、２と同様であり、その説明を省略する。
【００７３】
以上のように本実施の形態３の磁気ヘッド装置によれば、磁気ヘッド４が第１の位置にあるとき、第１のバネ系１０のうち光磁気ディスク１に最も接近する部分に対向するカートリッジホルダ５３の領域に凹部５４を形成したので、支持材６（特にその第１のバネ系１０）とカートリッジホルダ５３とのクリアランスが拡大する。従って、磁気ヘッド４が第１の位置にあるときに、第１のバネ系１０とカートリッジホルダ５３との衝突回避の観点から決定される、第１のバネ系１０の撓み量のばらつきに関する許容誤差範囲を拡大することができる。従って、支持材６の生産での歩留まりが向上する。
【００７４】
更に、磁気ヘッド４が第１の位置にあるとき、姿勢保持部５１が凹部５４内でカートリッジホルダ５３と当接することにより、光磁気記録再生装置を更に薄型にできる。また、磁気ヘッド４が第１の位置にあるとき、第１のバネ系１０のうち光磁気ディスク１に最も接近する部分の位置と姿勢保持部５１の位置とがＹ軸方向において一致又は近接する場合でも、第１のバネ系１０とカートリッジホルダ５３とのクリアランスを確保できる。従って、磁気ヘッド４が第１の位置にあるときの、第１のバネ系１０の撓み変形形状に関する許容範囲が拡大するので、支持材６の設計自由度が増す。
【００７５】
上記以外は、実施の形態１、２と同様の効果を奏する。
【００７６】
なお、姿勢保持部５１は、凹部５４の領域外でカートリッジホルダ５３と当接しても良い。
【００７７】
（実施の形態４）
以下、図９〜図１０を用いて本発明の実施の形態４に係る磁気ヘッド装置について説明する。図９は本発明の実施の形態４における磁気ヘッド装置の要部平面図であり、図１０は図９の磁気ヘッド装置のＸ−Ｘ線での矢印方向から見た要部側面断面図である。
【００７８】
本実施の形態４の磁気ヘッド装置では、磁気ヘッド４が第１の位置にあるときに、撓んだ第１のバネ系１０のうち光磁気ディスク１に最も接近する部分に対向するカートリッジホルダ５５の領域に穴（貫通穴）５６が形成されている。
【００７９】
磁気ヘッド４が第１の位置にあるとき、支持材６の第１のバネ系１０は、カートリッジホルダ５５側が凸となるように撓んでカートリッジホルダ５５に接近する。この第１のバネ系１０のうち、撓みによってカートリッジホルダ５５に最も接近する部分とＺ軸方向において対向するカートリッジホルダ５５の領域に穴５６が形成される。穴５６のＸ軸方向の形成範囲は、第１のバネ系１０のカートリッジホルダ５５に最も接近する部分のＸ軸方向の移動範囲に対応している。磁気ヘッド４が第１の位置にあるときに、姿勢保持部５１はカートリッジホルダ５５と当接する。
【００８０】
上記以外の構成及び動作は実施の形態１、２と同様であり、その説明を省略する。
【００８１】
以上のように本実施の形態４の磁気ヘッド装置によれば、磁気ヘッド４が第１の位置にあるとき、第１のバネ系１０のうち光磁気ディスク１に最も接近する部分に対向するカートリッジホルダ５５の領域に穴５６を形成したので、支持材６（特にその第１のバネ系１０）とカートリッジホルダ５５とのクリアランスが拡大する。従って、磁気ヘッド４が第１の位置にあるときに、第１のバネ系１０とカートリッジホルダ５５との衝突回避の観点から決定される、第１のバネ系１０の撓み量のばらつきに関する許容誤差範囲を拡大することができる。従って、支持材６の生産での歩留まりが向上する。
【００８２】
上記以外は、実施の形態１、２と同様の効果を奏する。
【００８３】
（実施の形態５）
以下、図１１〜図１３を用いて本発明の実施の形態５に係る磁気ヘッド装置について説明する。図１１は本発明の実施の形態５における磁気ヘッド装置の要部平面図であり、図１２は図１１の磁気ヘッド装置のＸ−Ｘ線での矢印方向から見た要部側面断面図であり、図１３は本発明の実施の形態５の磁気ヘッド装置に好ましく使用できるカートリッジの斜視図である。
【００８４】
本実施の形態５の磁気ヘッド装置では、磁気ヘッド４が第１の位置にあるときに、撓んだ第１のバネ系１０のうち光磁気ディスク１に最も接近する部分及び姿勢保持部５１に対向するカートリッジホルダ５７の領域に穴５８が形成されている。穴５８のＸ軸方向の形成範囲は、第１のバネ系１０のカートリッジホルダ５７に最も接近する部分及び姿勢保持部５１のＸ軸方向の移動範囲に対応している。磁気ヘッド４が第１の位置にあるときに、姿勢保持部５１は穴５８を通過し、カートリッジ６０に設けられた受け部５９と当接する。受け部５９は、カートリッジ６０がカートリッジホルダ５７に装着された状態において、穴５８内の下方に露出するように形成されている。姿勢保持部５１がＸ軸方向に移動する際、姿勢保持部５１は常に受け部５９上を摺動する。
【００８５】
受け部５９は、鉄、ステンレスなどの耐摩耗性と摺動性とに優れた材料からなり、樹脂でできたカートリッジ本体６１と一体成形により形成することができる。
【００８６】
上記以外の構成及び動作は実施の形態１、２と同様であり、その説明を省略する。
【００８７】
以上のように本実施の形態５の磁気ヘッド装置によれば、実施の形態４と同様に、支持材６（特にその第１のバネ系１０）とカートリッジホルダ５７とのクリアランスが拡大する。従って、磁気ヘッド４が第１の位置にあるとき、第１のバネ系１０とカートリッジホルダ５７との衝突回避の観点から決定される、第１のバネ系１０の撓み量のばらつきに関する許容誤差範囲を拡大することができる。従って、支持材６の生産での歩留まりが向上する。
【００８８】
更に、磁気ヘッド４が第１の位置にあるとき、第１のバネ系１０のうち光磁気ディスク１に最も接近する部分の位置と姿勢保持部５１の位置とがＹ軸方向において一致又は近接する場合でも、穴５８を形成して上記の実施の形態４と同様の効果を確保できる。従って、磁気ヘッド４が第１の位置にあるときの、第１のバネ系１０の撓み変形形状に関する許容範囲が拡大するので、支持材６の設計自由度が増す。
【００８９】
また、磁気ヘッド４が第１の位置にあるとき、姿勢保持部５１がカートリッジホルダ５７ではなくカートリッジ６０の受け部５９と当接することにより、光磁気記録再生装置を更に薄型にできる。
【００９０】
上記以外は、実施の形態１、２と同様の効果を奏する。
【００９１】
本実施の形態では受け部５９を設けたカートリッジ６０を使用しているが、受け部５９が形成されていない図１９に示したカートリッジ２を使用して、姿勢保持部５１をカートリッジ２に直接当接させても良い。
【００９２】
また、カートリッジホルダ５７に形成される穴５８は、ヘッド本体５が挿入される開口とは独立して設けられても良く、あるいは、両者が連続した一つの開口として設けられても良い。
【００９３】
以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【産業上の利用可能性】
【００９４】
本発明の磁気ヘッド装置の利用分野は特に限定されず、磁気ヘッドを搭載する情報記録再生装置に広く利用できる。中でも、薄型、小型、軽量であることが要求される携帯型の機器として利用されることが好ましい。また、光磁気記録方式に限られず、磁気記録方式の情報記録再生装置に利用することも可能である。
【図面の簡単な説明】
【００９５】
【図１】図１は、本発明の実施の形態１における磁気ヘッド装置の平面図である。
【図２】図２は、本発明の実施の形態１における磁気ヘッド装置において、磁気ヘッドが第１の位置にあるときの図１のＸ−Ｘ線での矢印方向から見た側面断面図である。
【図３】図３は、本発明の実施の形態１における磁気ヘッド装置において、磁気ヘッドが第２の位置にあるときの図１のＸ−Ｘ線での矢印方向から見た側面断面図である。
【図４】図４は、本発明の実施の形態１における磁気ヘッド装置において、磁気ヘッドが第３の位置にあるときの図１のＸ−Ｘ線での矢印方向から見た側面断面図である。
【図５】図５は、本発明の実施の形態２における磁気ヘッド装置の要部平面図である。
【図６】図６は、本発明の実施の形態２における磁気ヘッド装置において、磁気ヘッドが第１の位置にあるときの図５のＸ−Ｘ線での矢印方向から見た要部側面断面図である。
【図７】図７は、本発明の実施の形態３における磁気ヘッド装置の要部平面図である。
【図８】図８は、本発明の実施の形態３における磁気ヘッド装置において、磁気ヘッドが第１の位置にあるときの図７のＸ−Ｘ線での矢印方向から見た要部側面断面図である。
【図９】図９は、本発明の実施の形態４における磁気ヘッド装置の要部平面図である。
【図１０】図１０は、本発明の実施の形態４における磁気ヘッド装置において、磁気ヘッドが第１の位置にあるときの図９のＸ−Ｘ線での矢印方向から見た要部側面断面図である。
【図１１】図１１は、本発明の実施の形態５における磁気ヘッド装置の要部平面図である。
【図１２】図１２は、本発明の実施の形態５における磁気ヘッド装置において、磁気ヘッドが第１の位置にあるときの図１１のＸ−Ｘ線での矢印方向から見た要部側面断面図である。
【図１３】図１３は、本発明の実施の形態５における磁気ヘッド装置に好ましく使用されるカートリッジの斜視図である。
【図１４】図１４は、従来の磁気ヘッド装置の一例の平面図である。
【図１５】図１５は、従来の磁気ヘッド装置において、磁気ヘッドが第１の位置（記録位置）にあるときの図１４のＸ−Ｘ線での矢印方向から見た側面断面図である。
【図１６】図１６は、従来の磁気ヘッド装置において、磁気ヘッドが第２の位置（再生位置）にあるときの図１４のＸ−Ｘ線での矢印方向から見た側面断面図である。
【図１７】図１７は、従来の磁気ヘッド装置において、磁気ヘッドが第３の位置（光磁気ディスクの着脱を可能にする位置）にあるときの図１４のＸ−Ｘ線での矢印方向から見た側面断面図である。
【図１８】図１８は、従来の磁気ヘッド装置の磁気ヘッドのヘッド本体の側面断面図である。
【図１９】図１９は、一般的なカートリッジの一例の斜視図である。
【国際調査報告】
2004068486.tif 000022
2004068486.tif 000023